(57)【要約】【課題】  カメラ付携帯電話機のカメラで、所定の撮像モードで撮像した後、撮像を終えてレンズカバー１１を閉じ、その後にレンズカバー１１を開いて撮像を再開した場合には、直前の撮像で使用していた撮像モードで撮像が開始されることになり、撮像の開始時その都度、撮像モードがまちまちになり、ユーザにとって使い勝手が悪いものであった。【解決手段】  レンズカバー１１に操作部１６を設け、カメラ１０の撮像モードを切り替える切り替えレバー１５を操作可能にした。そして、レンズカバー１１を閉じる操作により、操作部１６が切り替えレバー１５を操作し、初期の撮像モードに切り替わるようにした。【選択図】          図３
2005323049.tif 000002
【特許請求の範囲】
【請求項１】
筐体に収納され、被写体を撮像する撮像部、
上記筐体表面に沿って移動可能に設けられ、移動されることにより上記撮像部のカメラレンズを開閉するレンズカバー、
上記撮像部の撮像モードを切り替えるモード切替スイッチ、
上記レンズカバーに設けられ、該レンズカバーの閉操作により上記モード切替スイッチを初期の撮像モードに切り替える操作部を備えたことを特徴とする撮像装置。
【請求項２】
モード切り替えスイッチは、操作部に操作されることによりカメラレンズの位置を機械的に切り替え、撮像モードを切り替えることを特徴とする請求項１記載の撮像装置。
【発明の詳細な説明】
【技術分野】
【０００１】
本発明は、カメラ付携帯電話機等の撮像装置に関し、特にカメラの撮像モードを切り替え可能にした撮像装置に関する。
【背景技術】
【０００２】
携帯電話機は、本来の電話機能に加え、メール等の各種の機能が搭載されるようになり、広く普及してきた。最近では、カメラ付の携帯電話機が提案され、殆どの機種にカメラが搭載されている。
【０００３】
ところで、携帯電話機は、鞄やポケットに入れて携帯されるものであり、塵や埃にさらされることが多い。カメラ付でない携帯電話機の場合は、塵や埃にさらされても、特に問題はなかったが、カメラ付になるとカメラレンズに塵や埃が付着してしまい、撮像時にそれを拭わなければならなかった。
【０００４】
これを解消すべく、例えば、特許文献１のようにカメラ使用時にはカメラレンズを露出させ、不使用時にはカメラレンズを覆う保護カバーが提案されている。この保護カバーは塵や埃からカメラレンズを保護するのみならず、落下によりカメラレンズが破損しないように保護する機能も有する。
【０００５】
一方、携帯電話機のカメラ機能も充実化されてきており、広角撮影モードや望遠撮影モードの機能が付加されている。そして、これらの機能は本体表面に設けられた切り替えスイッチを操作することにより、モードの切り替えが行われるようになっている。
【０００６】
【特許文献１】特開２００１−３０９００３号公報
【発明の開示】
【発明が解決しようとする課題】
【０００７】
従来の携帯電話機等の撮像装置は、レンズを保護するレンズカバーが設けられ、また、撮像モードを切り替える切り替えスイッチが設けられていたが、レンズカバーの操作と切り替えスイッチの操作とが各々独立して行われていた。したがって、所定の撮像モードで撮像した後、撮像を終えてレンズカバーを閉じ、その後にレンズカバーを開いて撮像を再開した場合には、直前の撮像で使用していた撮像モードで撮像が開始されることになり、撮像の開始時その都度、撮像モードがまちまちになり、ユーザにとって使い勝手が悪いものであった。
【課題を解決するための手段】
【０００８】
本発明に係る撮像装置は、筐体に収納され、被写体を撮像する撮像部、上記筐体表面に沿って移動可能に設けられ、移動されることにより上記撮像部のカメラレンズを開閉するレンズカバー、上記撮像部の撮像モードを切り替えるモード切替スイッチ、上記レンズカバーに設けられ、該レンズカバーの閉操作により上記モード切替スイッチを初期の撮像モードに切り替える操作部から構成したものである。
【発明の効果】
【０００９】
本発明によれば、レンズカバーの閉操作により、該レンズカバーに設けられた操作部がモード切り替えスイッチを操作し、撮像モードを初期の撮像モードに切り替えるようにしたので、撮像開始時には常に初期の撮像モードになっており、ユーザにとって使い勝手の良い撮像装置が得られる効果がある。
【発明を実施するための最良の形態】
【００１０】
以下、本発明の実施の形態について図に基づいて詳述する。
【００１１】
図１は、本発明の実施の形態１に係る撮像装置であり、カメラ付携帯電話機に適用した例を示している。図１（ａ）は二つ折れ型携帯電話機を開いた状態の正面図、図１（ｂ）はその背面図である。図において、１は正面側にメインＬＣＤ（Ｌｉｑｉｄ  Ｃｒｙｓｔａｌ  Ｄｉｓｐｌａｙ）２、背面側にサブＬＣＤ３を設けたＬＣＤ側筐体であり、正面側の端部にはレシーバ４が設けられ、背面側の端部には着信を報知するインジケータ５が設けられている。６は正面側にテンキー等の操作キー７が配列された操作側筐体であり、端部にはマイク８が設けられている。９は上記ＬＣＤ側筐体１及び操作側筐体６を開閉可能に連結するヒンジである。
【００１２】
操作側筐体６の背面側には撮像部としてのカメラ１０が設けられ、さらに、操作側筐体６背面側の表面に沿って移動可能であり、上記カメラ１０のレンズを保護するレンズカバー１１が設けられている。
【００１３】
図２は、このレンズカバー１１を拡大して示した図であり、図２（ａ）は表面側から見た平面図、図２（ｂ）は裏面側から見た底面図である。図において、レンズカバー１１は２枚のカバーを貼り合わせて構成したものであり、１２は表面側の意匠カバーでＡＢＳ（Ａｃｒｙｌｏｎｉｔｒｉｌｅ  Ｂｕｔａｄｉｅｎｅ  Ｓｔｙｒｅｎｅ）樹脂からなっている。裏面側の内部カバー１３は操作側筐体６の表面を摺動しながら移動するものであり、摩擦係数の小さいＰＯＭ（Ｐｏｌｙｏｘｙｍｅｔｈｙｌｅｎｅ）樹脂からなっている。レンズカバー１１の両端には操作側筐体６に形成したレールに嵌まって、レンズカバー１１を該レールに沿って移動可能にする弾性部材１４が設けられている。また、内部カバー１３にはレンズカバー１１を操作側筐体６に装着時、カメラ１０の一部を収容するためのカメラ収容部１３ａが凹状に形成されている。また、カメラ収容部１３ａよりも、さらに凹状に形成された凹部１３ｂが形成されており、該凹部１３ｂの側壁の一部が後述するカメラ１０の撮像モードを切り替えるモード切替スイッチ１５を操作する操作部１６となる。１７は意匠カバー１２に植設したボスと、内部カバー１３に設けられ、該ボスを受け入れて意匠カバー１２及び内部カバー１３を結合するための孔とからなる結合部である。
【００１４】
図３〜図６を用いてカメラカバー１１の開閉動作とカメラ１０の撮像モードを切り替える動作について説明する。図３（ａ）はカメラカバー１１を開いてカメラ１０で撮像している状態を示した背面図であり、カメラ１０の撮像モードは初期の撮像モードである。図３(ｂ)はその断面図である。図４(ａ)はカメラカバー１１を開いてカメラ１０で撮像している状態を示した背面図であり、カメラ１０の撮像モードを切り替えた状態である。図４(ｂ)はその断面図である。図５(ａ)はカメラカバー１１を閉じている途中の状態を示した背面図、図５(ｂ)はその断面図である。図６(ａ)はカメラカバー１１を閉じた状態を示した背面図、図６(ｂ)はその断面図である。
【００１５】
図３〜図６において、１７はウインドウであり、光透過材料からなり、操作側筐体６内部に設けた光源に光を通過させてフラッシュ撮影をするためのものである。
【００１６】
まず、図３はレンズカバー１１を開いた状態であり、カメラ１０が露出している。そして、カメラ１０の撮像モードを切り替える撮像モード切替スイッチの切り替えレバー１５は、初期の撮像モード、例えば標準撮像モードの位置にある。この状態でカメラ１０は標準撮像モードでの撮像が可能である。ユーザが他の撮像モードで撮像したい場合、ユーザは切り替えレバー１５を時計方向に回動して図４のように操作する。これにより、カメラ１０は、他の撮像モード、例えば、広角撮像モードや望遠撮像モードでの撮像が可能になる。
【００１７】
ここで、撮像モードの切り替えは、切り替えレバー１５の操作によってカメラレンズを図４の紙面上で表裏方向へ機械的に移動することによっても可能であるし、同様に切り替えレバー１５の操作によって、カメラ１０で撮像したデータをソフトウエア処理する設定を変えることによっても可能である。
【００１８】
次に、図５は撮像を終えてカメラカバー１１を閉じている途中の状態を示している。この状態で、カメラカバー１１の操作部１６が切り替えレバー１５に当接する。そして、カメラカバー１１をさらに閉じる方向に操作すると、切り替えレバー１５が操作部１６によって閉じる方向に操作されることにより、反時計方向に回動され、閉じた状態で図６に示すように、撮像モード切替スイッチを初期の撮像モードの位置に戻す。したがって、ユーザがカメラ撮像を再開したときには、初期の撮像モード、例えば標準撮像モードで撮像が開始されることになる。
【００１９】
上述の実施の形態１では、切り替えレバー１５を回動操作するものとしているが、直線方向に操作するものであってもよい。
【００２０】
図７〜図９は本発明の実施の形態２に係るカメラ付携帯電話機を示したものであり、図７(ａ)はカメラカバー１１を閉じた状態を示した背面図、図７(ｂ)はその断面図である。図８(ａ)はカメラカバー１１を全開する途中の中間段階の背面図で、このときカメラ１０は初期の撮像モードで撮像している。図８(ｂ)はその断面図である。図９(ａ)はカメラカバー１１を全開した状態を示した背面図であり、このときカメラ１０は初期とは異なる他の撮像モードで撮像している。図９(ｂ)はその断面図である。
【００２１】
まず、図７はカメラカバー１１を閉じた状態であり、カメラ１０はカメラカバー１１で隠蔽されている。ユーザがカメラ１０で撮像するときには、図８のようにカメラカバー１１を中間段階の開度に開きカメラ１０を露出させる。このとき、切り替えレバー１５はカメラカバー１１の第１の操作部１６ａによりカメラカバー１１の開方向へ一定距離操作され、カメラ１０の撮像モードを初期の標準モードにする。また、これに連動してカメラ１０を起動する。即ち、ユーザはカメラカバー１１を中間段階に開くことにより、カメラ１０を起動するとともに、撮像モードを初期の標準モードに設定できる。
【００２２】
次に、カメラカバー１１をさらに開き、図９のように全開にすると、切り替えレバー１５は第１の操作部１６ａによりカメラカバー１１の開方向へさらに操作され、カメラ１０の撮像モードを広角モードに変更する。そして、撮像を終わるとき、ユーザはカメラカバー１１を図７のように閉じる。これ操作により、切り替えレバー１５は第２の操作部１６ｂにより閉方向に操作される。この切り替えレバー１５の操作によりカメラ１０は起動を停止する。
【００２３】
なお、上記実施の形態１及び２は切り替えレバー１５が同一平面上を移動して操作されるものであったが、上下に操作されるものであってもよい。
【００２４】
図１０〜図１２は、本発明の実施の形態３に係るカメラ付携帯電話機を示す図である。図１０(ａ)はカメラカバー１１を閉じた状態を示した背面図であり、このときカメラ１０は停止した状態である。図１０(ｂ)はその断面図である。図１１(ａ)はカメラカバー１１を中間段階まで開いた状態の背面図であり、このときカメラ１０は初期の撮像モードで起動される状態である。図１１(ｂ)はその断面図である。図１２(ａ)はカメラカバー１１を全開した状態を示した背面図であり、このときカメラ１０は初期の撮像モードから切り替わった状態である。図１２(ｂ)はその断面図である。
【００２５】
この実施の形態３に係る切り替えレバー１５は押しボタン式の切り替えレバーであり、カメラカバー１１側の操作部１６は階段状に形成されている。
【００２６】
まず、図１０はカメラカバー１１を閉じた状態であり、カメラ１０はカメラカバー１１で隠蔽されている。このとき、カメラ１０は停止した状態である。カメラ１０で撮像するとき、ユーザは図１１のように、カメラカバー１１を中間段階まで開く。これにより、切り替えレバー１５は、階段状に形成された操作部１６により操作側筐体６内部方向へ押圧され、カメラ１０を起動するとともに、カメラの撮像モードを初期の標準撮像モードにする。ユーザが撮像モードを変更したいときには、カメラケース１１をさらに開いて図１２に示すように全開にする。これにより、切り替えレバー１５は操作部１６によりさらに操作側筐体６の内部へ押圧されカメラ１０の撮像モードを例えば、広角撮像モードに変更する。
【００２７】
一方、撮像を停止する場合、ユーザは、カメラカバー１１を閉じて図１０の状態にする。これにより、切り替えレバー１５は操作側筐体６の内部から押し出され、カメラの起動を停止する。
【００２８】
次に、本発明の実施の形態４について図１３〜図１５を用いて説明する。実施の形態４に係るカメラカバー１１は円形であり、裏面に２つの操作部１６ａ及び１６ｂを有する。図１３はカメラカバー１１を閉じた状態であり、カメラ１０はカメラカバー１１により隠蔽されている。ユーザが撮像を開始したい場合は、カメラカバー１１を時計方向に回転させて開き、図１４のようにカメラ１０を露出させる。このカメラカバー１１の回転動作により、切り替えレバー１５は第１の操作部１６ａに操作され、カメラ１０を起動するとともに、撮像モードを初期の標準撮像モードにする。
【００２９】
ユーザが撮像モードを変更したいときには、カメラカバー１１をさらに時計方向へ回転させ、図１５の状態にする。この回転操作により、切り替えレバー１５は操作部１６ａに操作され、カメラ１０の撮像モードを初期の撮像モードから例えば、広角撮像モードに変更する。
【００３０】
一方、撮像を停止する場合、ユーザは、カメラカバー１１を反時計方向へ回転させ、図１３の状態にする。これにより、切り替えレバー１５は第２の操作部１６ｂにより操作され、カメラの起動を停止する。
【図面の簡単な説明】
【００３１】
【図１】本発明をカメラ付携帯電話機に適用した実施の形態を示す正面図及び背面図である。
【図２】本発明に係るレンズカバーを示す平面図及び低面図である。
【図３】本発明の実施の形態１に係るカメラ付携帯電話機で、カメラカバーを開いてカメラで撮像している状態を示した背面図及び断面図である。
【図４】本発明の実施の形態１に係るカメラ付携帯電話機で、カメラカバーを開いてカメラで撮像している状態を示した背面図及び断面図である。
【図５】本発明の実施の形態１に係るカメラ付携帯電話機で、カメラカバーを閉じている途中の状態を示した背面図及び断面図である。
【図６】本発明の実施の形態１に係るカメラ付携帯電話機で、カメラカバーを閉じた状態を示した背面図及び断面図である。
【図７】本発明の実施の形態２に係るカメラ付携帯電話機で、カメラカバーを閉じた状態を示した背面図及び断面図である。
【図８】本発明の実施の形態２に係るカメラ付携帯電話機で、カメラカバーを全開にする途中の中間段階の状態を示した背面図である。
【図９】本発明の実施の形態２に係るカメラ付携帯電話機で、カメラカバーを全開にした状態を示した背面図及び断面図である。
【図１０】本発明の実施の形態３に係るカメラ付携帯電話機で、カメラカバーを閉じた状態を示した背面図及び断面図である。
【図１１】本発明の実施の形態３に係るカメラ付携帯電話機で、カメラカバーを全開にする途中の中間段階の状態を示した背面図である。
【図１２】本発明の実施の形態３に係るカメラ付携帯電話機で、カメラカバーを全開にした状態を示した背面図及び断面図である。
【図１３】本発明の実施の形態４に係るカメラ付携帯電話機で、カメラカバーを閉じた状態を示した背面図である。
【図１４】本発明の実施の形態４に係るカメラ付携帯電話機で、カメラカバーを途中の段階まで開いた状態を示した背面図である。
【図１５】本発明の実施の形態４に係るカメラ付携帯電話機で、カメラカバーを全開にした状態を示した背面図である。
【符号の説明】
【００３２】
１  表示側筐体    ２  メインＬＣＤ    ６  操作側筐体    １０  カメラ    １１  レンズカバー    １５  切り替えレバー    １６  操作部。
【図１】
2005323049.tif 000003
【図２】
2005323049.tif 000004
【図３】
2005323049.tif 000005
【図４】
2005323049.tif 000006
【図５】
2005323049.tif 000007
【図６】
2005323049.tif 000008
【図７】
2005323049.tif 000009
【図８】
2005323049.tif 000010
【図９】
2005323049.tif 000011
【図１０】
2005323049.tif 000012
【図１１】
2005323049.tif 000013
【図１２】
2005323049.tif 000014
【図１３】
2005323049.tif 000015
【図１４】
2005323049.tif 000016
【図１５】
2005323049.tif 000017